(57)【要約】【課題】食品類を自宅に持ち帰る際などに好適に用いることのできる簡便な食品収納容器を提供する。【解決手段】防水性及び柔軟性を有して箱形に一体成型された内容器１と、内容器１を収容する外容器２とを備える。内容器１は、シリコーンゴム製であり、その相対する両側面部１３に折目Ｌを有して偏平状に折り畳み可能とされる。又、外容器２は、内容器１を収容する形状を保持可能な剛性を有する外容器本体３と、外容器本体３の上端開口部３Ａを塞ぐ上蓋４とを有する。【選択図】図１
2011025984.tif 000002
【特許請求の範囲】
【請求項１】
防水性及び柔軟性を有して箱形に一体成型された内容器と、その内容器を収容する外容器とを備え、前記内容器は相対する両側面部に折目を有して偏平状に折り畳み可能とされ、前記外容器は、内容器を収容する形状を保持可能な剛性を有する外容器本体と、その外容器本体の上端開口部を塞ぐ上蓋とを有することを特徴とする食品収納容器。
【請求項２】
前記内容器の上縁部に、外容器本体と上蓋との間に挟まれる鍔部が形成されていることを特徴とする請求項１記載の食品収納容器。
【請求項３】
前記折目は、内容器の相対する両側面部における下縁部の両端と当該下縁部に対向する上縁部とを結ぶ第１折目と第２折目から成り、その第１折目と第２折目は前記下縁部と上縁部との中心を結ぶ線上で交差し、その交点が前記下縁部よりも上縁部寄りに位置していることを特徴とする請求項１、又は２記載の食品収納容器。
【請求項４】
前記内容器は、シリコーンゴム製であることを特徴とする請求項１〜３のいずれか１項に記載の食品収納容器。
【請求項５】
前記内容器に抗菌物質が含有もしくは塗工されていることを特徴とする請求項１〜４のいずれか１項に記載の食品収納容器。
【請求項６】
前記外容器本体は、方形状の底板部と該底板部の各端縁に可撓性のヒンジ片を介して連結される４つの側壁部とを有し、その各側壁部を前記底板部上に倒伏して偏平状に折り畳んだ状態から各側壁部を起立せしめて隣り合う端縁同士を結合してなる箱形に組立可能とされていることを特徴とする請求項１〜５のいずれか１項に記載の食品収納容器。
【請求項７】
前記外容器本体及び上蓋に巻き掛ける結束バンドを備えていることを特徴とする請求項１〜６のいずれか１項に記載の食品収納容器。
【発明の詳細な説明】
【技術分野】
【０００１】
本発明は、食品類を収納する容器に係わり、特に結婚披露宴などで提供された料理の食べ残しを持ち帰る際に用いて好適な食品収納容器に関する。
【背景技術】
【０００２】
従来、食品類を自宅に持ち帰る際などに用いられる食品容器として、合成樹脂製のシート体に複数条の折曲げ線を付与して箱形に組み立てられるようにしたものが知られる（例えば、特許文献１）。
【先行技術文献】
【特許文献】
【０００３】
【特許文献１】登録実用新案第３１４８７８３号公報
【発明の概要】
【発明が解決しようとする課題】
【０００４】
しかしながら、特許文献１に記載される折り畳み式携帯用食品容器のように、合成樹脂製のシート体に複数条の折曲げ線を付与して箱形に組み立てられるようにしたものでは、そのシート体を箱形に組み立てることも、その箱を折り畳むことも容易でなく、その組立、折り畳みに時間を要して使い勝手が悪いという欠点がある。
【０００５】
又、その種の容器は、箱形のままでは隅々まで綺麗に洗浄することができず、シート状に展開した場合には全体を綺麗に洗浄することはできても、全体が大きく広がるために洗浄作業を行い難い。
【０００６】
更に、シート体を箱形に組み立てたものでは高い強度を得難く、食品類を持ち帰る際に箱形に組み立てられた容器が外力を受けて潰れてしまうことが懸念される。
【０００７】
本発明は以上のような事情に鑑みて成されたものであり、その主たる目的は食品類を自宅に持ち帰る際などに好適に用いることのできる簡便な食品収納容器を提供することにある。
【課題を解決するための手段】
【０００８】
上記目的を達成するため、本発明に係る食品収納容器は、防水性及び柔軟性を有して箱形に一体成型された内容器と、その内容器を収容する外容器とを備え、前記内容器は相対する両側面部に折目を有して偏平状に折り畳み可能とされ、前記外容器は、内容器を収容する形状を保持可能な剛性を有する外容器本体と、その外容器本体の上端開口部を塞ぐ上蓋とを有することを特徴とする。
【０００９】
加えて、前記折目は、内容器の相対する両側面部における下縁部の両端と当該下縁部に対向する上縁部とを結ぶ第１折目と第２折目から成り、その第１折目と第２折目は前記下縁部と上縁部との中心を結ぶ線上で交差し、その交点が前記下縁部よりも上縁部寄りに位置していることを特徴とする。
【００１０】
又、前記内容器の上縁部に、外容器本体と上蓋との間に挟まれる鍔部が形成されていることを特徴とする。
【００１１】
又、前記内容器がシリコーンゴム製であること、ならびに前記内容器に抗菌物質が含有もしくは塗工されていることを特徴とする。
【００１２】
更に、前記外容器本体は、方形状の底板部と該底板部の各端縁に可撓性のヒンジ片を介して連結される４つの側壁部とを有し、その各側壁部を前記底板部上に倒伏して偏平状に折り畳んだ状態から各側壁部を起立せしめて隣り合う端縁同士を結合してなる箱形に組立可能とされていることを特徴とする。又、前記外容器本体及び上蓋に巻き掛ける結束バンドを備えていることを特徴とする。
【発明の効果】
【００１３】
本発明に係る食品収納容器によれば、柔軟性を有する内容器と、これを収容する形状を保持可能な剛性を有する外容器とを備えることから、内容器に詰めた食品類を外力から保護することができ、しかも内容器が防水性及び柔軟性を有して箱形に一体成型されていることから、高含水量の食品類を収納して水漏れせず、使用後には表裏反転して隅々まで綺麗に洗浄し、衛生を保って繰返し利用することができる。又、内容器は相対する両側面部に折目を有して偏平状に折り畳み可能とされているので、ハンドバッグ内などに入れて嵩張らず、外出先に携行して邪魔にならない。
【００１４】
特に、折目は内容器の相対する両側面部における下縁部の両端と当該下縁部に対向する上縁部とを結ぶ第１折目と第２折目から成り、その第１折目と第２折目が上記下縁部と上縁部との中心を結ぶ線上で交差し、その交点が上記下縁部よりも上縁部寄りに位置していることから、その折目に従って内容器を偏平状に保ち得る態様に容易に折り畳むことができる。
【００１５】
又、内容器の上縁部には、外容器本体と上蓋との間に挟まれる鍔部が形成されているので、外容器内での内容器の遊動を防止して内容器から食品類が零れ出すことを抑えることができる。
【００１６】
更に、内容器がシリコーンゴム製であることから耐久性があり、食品衛生上好ましく、しかも抗菌物質が含有もしくは塗工されているので、食中毒の発生を抑制することができる。
【００１７】
加えて、外容器本体は、偏平状に折り畳んだ状態から箱形に組立可能とされているので、外出先に携行する際に偏平状に折り畳んで邪魔にならず、しかも外容器本体及び上蓋に巻き掛ける結束バンドを備えていることから、外出先から食品類を持ち帰る際などに上蓋が不用意に開放してしまうことを防止できる。
【図面の簡単な説明】
【００１８】
【図１】本発明に係る食品収納容器を示す斜視分解図
【図２】内容器の側面図
【図３】内容器を部分的に破断して示した拡大図
【図４】偏平状に折り畳んだ内容器を示す平面図
【図５】偏平状に折り畳んだ内容器を示す斜視図
【図６】内容器の畳み方を示す説明図
【図７】内容器を収容した外容器の断面図
【図８】外容器本体を示す展開図
【図９】外容器本体の部分拡大断面図
【図１０】偏平状に折り畳んだ外容器本体を示す平面図
【図１１】偏平状に折り畳んだ外容器本体を上蓋内に嵌め込んだ状態を示す説明図
【図１２】本発明に係る食品収納容器の使用態様を示す斜視図
【発明を実施するための形態】
【００１９】
以下、図面に基づいて本発明を詳しく説明する。先ず、図１において、１は防水性及び柔軟性を有する内容器、２は内容器１よりも硬質の外容器である。
【００２０】
本例において、内容器１は０．５〜１ｍｍの肉厚を有するシリコーンゴム製であり、これには抗菌物質として全重量当たり１〜５重量％の銀が含有されている。尚、内容器１は抗菌物質を混合したシリコーンゴム原料を図示せぬ金型に入れて成型後、その成型品を９０℃程度でアニーリングして製造されるもので、その硬度（JIS K 6253に規定されるタイプＡデュロメータ硬度）は６０〜７０である。又、内容器１は、長方形状の底面部１１とその周縁に連なる４つの側面部１２，１３とを有する箱形に一体成型されている。特に、底面部１１の長辺側に連なる両側面部１２には、その各上縁部１２ａにおいて帯状の鍔部１４が形成され、他の相対する両側面部１３には同一の折目Ｌが形成されている。
【００２１】
図２から明らかなように、折目Ｌは側面部１３の下縁部１３ｂの両端と当該下縁部１３ｂに対向する上縁部１３ａとを結ぶ第１折目Ｌ１と第２折目Ｌ２とから成る。その第１折目Ｌ１と第２折目Ｌ２は、下縁部１３ｂと上縁部１３ａとの中心を結ぶ線Ｃ上で交差し、その交点Ｐが下縁部１３ｂよりも上縁部１３ａ寄りに位置している。又、図３から明らかなように、第１折目Ｌ１と第２折目Ｌ２は、側面部１３の内側面をＶ字状に凹ませて成る。尚、本例において、側面部１３の肉厚は０．５２ｍｍ、第１折目Ｌ１と第２折目Ｌ２の深さは０．２１ｍｍとされている。
【００２２】
そして、上記のような内容器１によれば、図１のような箱形に一体成型されながら、必要に応じて図４及び図５に示されるような偏平状に折り畳むことができ、この状態ではハンドバッグなどに入れて嵩張らず、外出先に携行して邪魔にならない。ここに、箱形の内容器１を図４及び図５に示されるような偏平状に折り畳むには、図６に示すように両側面部１３を内側に強制的に押し込み、相対する側面部１２の一方（図６の右側）と両側面部１３との間に形成されるギャップＧに対し、他方の側面部１２（図６の左側）と両側面部１３との稜角部Ｋを差し込むようにする。これによれば、折目Ｌに従って三角形状に折り畳まれる両側面部１３と一方の側面部１２との間に、他方の側面部１２の上縁部１２ａ側が折り込まれるため、偏平状にした内容器１が不用意に広がって箱形に復元してしまうことがなく、しかも使用に際して両側面部１３と一方の側面部１２との間から他方の側面部１２の上縁部１２ａ側を強制的に引き抜くだけで極簡単に箱形にすることができる。又、第１折目Ｌ１と第２折目Ｌ２が上記の如く側面部１３の下縁部１３ｂと上縁部１３ａとの中心を結ぶ線Ｃ上で交差されるために、内容器１を箱形にした場合、折目Ｌをもつ両側面部１３が図６のように内側に鋭角状に折れ曲がって上端開口部１Ａが自然に閉じられてしまうことが防止される。このため、上端開口部１Ａが大きく広げられた状態のまま、内容器１内に食品類を容易に入れることができる。
【００２３】
尚、シリコーンゴム製にして箱形に一体成型される内容器１では、高含水量の食品類を収納して水漏れせず、耐油性や耐熱性にも優れるので、天ぷらなどを高温状態のまま収納しても劣化、塑性変形することがなく、しかも冬期などにおいては収納食品類の保温効果も得られる。又、食品類を取り出した内容器１は表裏反転して隅々まで綺麗に洗浄し、繰返して利用することができる。
【００２４】
次に、外容器２について言及すれば、係る外容器２は、図１に示すように、内容器１を収容する外容器本体３と、外容器本体３の上端開口部３Ａを塞ぐ上蓋４とにより構成される。外容器本体３及び上蓋４は、いずれも合成樹脂（本例においてポリプロピレン）製であり、射出成型などにより別々に形成されている。特に、外容器本体３は、長方形状の底板部３１と４つの側壁部３２，３３とを有する横長の箱形で、その箱形状を保持可能な剛性を有している。
【００２５】
一方、上蓋４は平面部４１の周縁に縁枠部４２を有する断面凹字形の形態であり、その縁枠部４２の内側には図７のように外容器本体３の上端部を嵌め込み可能とされている。尚、図７から明らかなように、内容器１は、外容器本体３とその上端開口部３Ａを塞ぐ上蓋４との間に鍔部１４を挟み込むことにより、外容器本体３内に掛子状にして収容され、これにより外容器２内での内容器１の遊動が防止されるようになっている。又、図１及び図７において、５は内容器１に入れた食品類の上に敷かれる抗菌シートである。この抗菌シート５は、セルロースのシートを基材にして、これにワサビ及び辛子の粉末を含有せしめたもので、カビや腐敗菌に対して静菌作用を有し、食中毒を抑制する効果を発揮する。
【００２６】
ここに、外容器本体３は、図８に示されるように平面状に展開することもできる。図８から明らかなように、外容器本体３を構成する底板部３１と各側壁部３２，３３はヒンジ片３４を介して連結されている。ヒンジ片３４は可撓性を有する合成樹脂の薄片であり、これにより底板部３１に対する各側壁部３２，３３の屈曲が可能とされている。又、図８及び図９に示されるように、外容器本体３の相対する側壁部３３は、各々その両端縁に凸条３３ａを有する凹字状の形態とされている。凸条３３ａにはその長手方向に沿って溝部３３ｂが形成され、溝部３３ｂ内には凹部３３ｃが形成されている。又、他方の相対する側壁部３２には、各々その両端縁に突片３２ａが形成され、その突片３２ａには凹部３３ｃ内に嵌合する凸部３２ｂが形成されている。
【００２７】
そして、係る外容器本体３によれば、突片３２ａを有する側壁部３２を起立させ、次いで側壁部３３を起立せしめて溝部３３ｂ内に突片３２ａを嵌め込むことにより、図１のような箱形にしてその箱形状を保持することができる。又、図８の状態において、底板部３１上に側壁部３２を倒伏して折り重ね、更にその上に側壁部３３を倒伏して折り重ねることにより、図１０に示されるような偏平状に折り畳むことができる。特に、偏平状に折り畳まれた外容器本体３は、図１０及び図１１のように上蓋４の縁枠部４２内に嵌め込めるようになっており、この状態では内容器１と同じくハンドバッグなどに入れて嵩張らず、外出先に携行して邪魔にならない。
【００２８】
次に、図１２は本発明に係る食品収納容器の使用態様を示す。この図で明らかなように、係る食品収納容器は、以上のような内容器１及び外容器２のほか、外容器本体３と上蓋４との外周に巻き掛ける結束バンド６、ならびに外容器２を収容する手提げ袋７を備える。
【００２９】
結束バンド６は、ゴム状弾性を有する伸縮自在な環状であり、これによれば食品の持ち運びに際して上蓋４が不用意に開放してしまうことを防止することができる。一方、手提げ袋７は、合成樹脂フィルムなどから形成される袋本体７１と、その口を閉じる紐７２とから成る巾着式であり、これによれば食品類の持ち運びに際して食品臭が周囲に拡散するのを防止し、しかも外容器が天地逆にならぬようにして持ち運ぶことが可能になる。
【００３０】
以上、本発明の好適な実施形態を図面に基づき説明したが、内容器はシリコーンゴム製であることに限らず、その他のエラストマ（合成ゴム、天然ゴム、再生ゴム、あるいはアクリル系樹脂など）、軟質合成樹脂、合成皮革などでもよく、要は防水性及び柔軟性を有して箱形に一体成型されていればよい。
【００３１】
又、内容器１の鍔部１４は、側面部１２の上縁部１２ａに形成することに限らず、側面部１３の上縁部１３ａに形成しても良い。但し、側面部１３の上縁部１３ａでは内容器１を折り畳んだとき鍔部１４が折れぬよう、これを第１折目Ｌ１と第２折目Ｌ２の間に形成することが好ましい。
【００３２】
更に、抗菌物質は内容器１に含有せしめることに限らず、これをバインダに混合して内容器１の表面に塗工するようにしてもよいし、抗菌物質として銅その他の金属イオン、あるいは有機抗菌剤などを用いてもよい。尚、２重量％の銀を含有せしめたシリコーンゴム製内容器と、その種の抗菌物質による抗菌処理を施さないシリコーンゴム製内容器とに対し、試験細菌（２×１０５個）を接種して３７℃で２４時間保温したところ、前者は菌数が３．７×１０３まで減少し、後者は菌数４．５×１０７に増加した。
【符号の説明】
【００３３】
１  内容器
１１  底面部
１２，１３  側面部
１２ａ，１３ａ  上縁部
１３ｂ  下縁部
１４  鍔部
Ｌ  折目
Ｌ１  第１折目
Ｌ２  第２折目
２  外容器
３  外容器本体
３１  底板部
３２，３３  側壁部
３４  ヒンジ片
４  上蓋
５  抗菌シート
６  結束バンド
７  手提げ袋
【図１】
2011025984.tif 000003
【図２】
2011025984.tif 000004
【図３】
2011025984.tif 000005
【図４】
2011025984.tif 000006
【図５】
2011025984.tif 000007
【図６】
2011025984.tif 000008
【図７】
2011025984.tif 000009
【図８】
2011025984.tif 000010
【図９】
2011025984.tif 000011
【図１０】
2011025984.tif 000012
【図１１】
2011025984.tif 000013
【図１２】
2011025984.tif 000014